(57)【要約】【課題】  不正行為を十分に抑制することができるとともに、封止作業及び開封作業の簡易化を図ることができる基板ケースの封止構造を提供する。【解決手段】  基板ケースの本体ケース２１にはカシメ部材２７が設けられ、ケース蓋２２には挿入部材を構成する挿入突起２８が設けられており、該挿入突起２８をカシメ部材２７の挿入口４１から収容部４２へと挿入して収容した場合、該挿入突起２８の先端面が収容部４２の内面に突き当たり、かつ収容部４２内の係止舌片４３の一部が挿入突起２８の収容凹部に収容されることにより、該挿入突起２８の挿入方向及び抜出方向への移動が規制されている。【選択図】      図３
2010029307.tif 000002
【特許請求の範囲】
【請求項１】
遊技機を制御する制御基板を収容した本体ケースと、該制御基板を収容するべく該本体ケースに設けられた収容口を閉塞するケース蓋とからなる遊技機用の基板ケースを開封不能に封止する基板ケースの封止構造であって、
上記本体ケース又は上記ケース蓋のいずれか一方には、嵌合雌部であるカシメ部材が設けられており、上記ケース蓋又は上記本体ケースのいずれか一方の該カシメ部材と対応する部位には、嵌合雄部である挿入部材が設けられており、
上記カシメ部材は、上記挿入部材を挿入するための挿入口と、上記挿入部材を該カシメ部材の内側に収容するべく該挿入口から上記挿入部材の挿入方向へ延設された収容部と、該収容部の内面に配設された係止舌片とを有しており、
上記挿入部材は、上記ケース蓋又は上記本体ケースに対して該挿入部材を繋げ、かつ切離可能にする架橋部と、上記収容部に収容された状態で上記係止舌片の少なくとも一部を収容するための収容凹部とを有しており、
上記挿入口への上記挿入部材の挿入方向において、上記挿入部材の端部には第１接触面が設けられており、該第１接触面と対応する位置で上記収容部の内面には第１被接触面が設けられており、上記挿入部材が上記収容部に収容された状態にある場合、該第１接触面の該第１被接触面への接触により、該挿入部材の挿入方向への移動が規制されており、
上記挿入口からの上記挿入部材の抜出方向において、上記挿入部材の収容凹部の内面には第２接触面が設けられており、該第２接触面と対応する位置で上記係止舌片上には第２被接触面が設けられており、上記挿入部材が上記収容部に収容された状態にある場合、該第２接触面の該第２被接触面への接触により、該挿入部材の抜出方向への移動が規制されている
ことを特徴とする基板ケースの封止構造。
【請求項２】
上記挿入口への上記挿入部材の挿入方向と直交する方向において、上記挿入部材の外面には第３接触面が設けられており、該第３接触面と対応する位置で上記収容部の内面には第３被接触面が設けられており、上記挿入部材が上記収容部に収容された状態にある場合、該第３接触面の該第３被接触面への接触により、該挿入部材の挿入方向と直交する方向への移動が規制されている
請求項１に記載の基板ケースの封止構造。
【請求項３】
上記カシメ部材は、複数個が設けられており、上記挿入部材は、上記カシメ部材と対応する個数の複数個が設けられており、互いに対応する上記カシメ部材と上記挿入部材を１セットとして、上記基板ケースを封止した状態で、上記カシメ部材と上記挿入部材の複数セット全てが一度に上記基板ケースの封止に使用されておらず、少なくとも何れか１セットが上記基板ケースの封止に使用されている
請求項１又は請求項２に記載の基板ケースの封止構造。
【請求項４】
上記挿入部材は、上記係止舌片を上記第２被接触面と接触することなく収容自在なカシメ回避部を有しており、
上記収容凹部に対して上記係止舌片が対応位置となるように上記挿入部材に対して上記カシメ部材が配置される場合をカシメ位置とし、上記カシメ回避部に対して上記係止舌片が対応位置となるように上記挿入部材に対して上記カシメ部材が配置される場合を未カシメ位置として、
上記基板ケースを封止した状態で、上記カシメ部材と上記挿入部材のうち該封止に使用しているものについては、上記カシメ部材がカシメ位置とされ、該封止に使用されていないものについては、上記カシメ部材が未カシメ位置とされている
請求項３に記載の基板ケースの封止構造。
【請求項５】
上記本体ケース又は上記ケース蓋の側縁には、隣接する２面が外部に開放された箱状をなす外殻部材が設けられ、上記ケース蓋又は上記本体ケースの側縁には、該外殻部材の１面を閉塞する板状のカバー部材が設けられており、
上記カシメ部材は、その挿入口が外部に開放されるようにして上記外殻部材に収納されており、
上記挿入部材は、上記カバー部材と平行に延びるように突出形成されている
請求項１から請求項４のいずれか一項に記載の基板ケースの封止構造。
【発明の詳細な説明】
【技術分野】
【０００１】
本発明は、遊技機を制御する制御基板に対する不正行為を抑制するべく、該制御基板を収容する基板ケースを封止するための基板ケースの封止構造に関するものである。
【背景技術】
【０００２】
従来、パチンコ機等のような遊技機には、遊技者の操作に基づく遊技の進行に伴って遊技状態を変化させるべく、該遊技状態を制御する制御基板が搭載されている。この制御基板は、本体ケースとケース蓋とかなる箱状の基板ケースの内部に収容されて遊技機に搭載されている。
一方、近時においては、不正の利益を得る目的で、制御基板に細工を施す不正行為者の存在が報告されている。そこで、不正行為を抑制するべく、遊技機の基板ケースには、種々の方法による封止構造が施されている。
例えば、特許文献１の遊技機は、基板ケースを閉止する固定部材を被覆部材で被覆し、かつ該被覆部材を基板ケースに固着することにより、該固定部材を操作不能としている。特許文献２の遊技機における基板ケースの製造方法では、第１ケースに設けられた第１封止部と第２ケースに設けられた第２封止部とを封止部材で連結するとともに、該封止部材に弾性を備えさせることにより、該封止部材の弾性変形と弾性復元力を利用している。特許文献３の遊技機の基板ケースユニットでは、第１ケースに設けられた第１連結部と第２ケースに設けられた第２連結部とを連結部材で連結するとともに、該連結部材に破断ねじ又はワンウェイねじを使用している。特許文献４の遊技機用基板ケースでは、特許文献３と略同様の構成において、破断ねじ又はワンウェイねじに代えてスプリングピンを使用している。特許文献５の遊技制御基板アセンブリの封印構造では、特許文献３と略同様の構成において、破断ねじ又はワンウェイねじに代えて封印シールを使用している。特許文献６の遊技機では、封止部の他に爪と受部からなる係合部を設け、封止部を破断しても係合部によって基板ユニットが容易に開封されないようにしている。
【０００３】
【特許文献１】特開２００７−２０９７０１号公報
【特許文献２】特開２００７−２２８９８８号公報
【特許文献３】特開２００７−２５２８０２号公報
【特許文献４】特開２００７−２６８０６２号公報
【特許文献５】特開２００７−３１２９１７号公報
【特許文献６】特開２００７−３３０４５１号公報
【発明の開示】
【発明が解決しようとする課題】
【０００４】
ところが、上記各特許文献のような封止構造は、上記特許文献１〜５のように構成が簡易なものである場合には、不正行為の痕跡が残らないように再封止を施し、視認のみによる不正行為の判別を不可能としてしまうことにより、該不正行為の発覚を回避されてしまう。一方、上記特許文献６のように構成が複雑なものであれば、基板ケースを開封するには封止部分を完全に破壊したうえで開封に複雑な手順が必要になるため不正行為は十分に抑制することができる。しかし、このように構成が複雑なものは、製造コストが高騰するため大量生産に不向きであり、また構成が複雑であるが故に、正規の者がメンテナンス等のために基板ケースを開封及び封止する場合、封止作業及び開封作業が煩雑化してしまうという問題が生じている。
【０００５】
本発明は、このような従来技術に存在する問題点に着目してなされたものである。その目的とするところは、不正行為を十分に抑制することができるとともに、封止作業及び開封作業の簡易化を図ることができる基板ケースの封止構造を提供することにある。
【課題を解決するための手段】
【０００６】
上記の目的を達成するために、請求項１に記載の基板ケースの封止構造の発明は、遊技機を制御する制御基板を収容した本体ケースと、該制御基板を収容するべく該本体ケースに設けられた収容口を閉塞するケース蓋とからなる遊技機用の基板ケースを開封不能に封止する基板ケースの封止構造であって、上記本体ケース又は上記ケース蓋のいずれか一方には、嵌合雌部であるカシメ部材が設けられており、上記ケース蓋又は上記本体ケースのいずれか一方の該カシメ部材と対応する部位には、嵌合雄部である挿入部材が設けられており、上記カシメ部材は、上記挿入部材を挿入するための挿入口と、上記挿入部材を該カシメ部材の内側に収容するべく該挿入口から上記挿入部材の挿入方向へ延設された収容部と、該収容部の内面に配設された係止舌片とを有しており、上記挿入部材は、上記ケース蓋又は上記本体ケースに対して該挿入部材を繋げ、かつ切離可能にする架橋部と、上記収容部に収容された状態で上記係止舌片の少なくとも一部を収容するための収容凹部とを有しており、上記挿入口への上記挿入部材の挿入方向において、上記挿入部材の端部には第１接触面が設けられており、該第１接触面と対応する位置で上記収容部の内面には第１被接触面が設けられており、上記挿入部材が上記収容部に収容された状態にある場合、該第１接触面の該第１被接触面への接触により、該挿入部材の挿入方向への移動が規制されており、上記挿入口からの上記挿入部材の抜出方向において、上記挿入部材の収容凹部の内面には第２接触面が設けられており、該第２接触面と対応する位置で上記係止舌片上には第２被接触面が設けられており、上記挿入部材が上記収容部に収容された状態にある場合、該第２接触面の該第２被接触面への接触により、該挿入部材の抜出方向への移動が規制されていることを要旨とする。
【０００７】
上記構成によれば、基板ケースを封止するべく本体ケースの収容口をケース蓋で閉塞する際、嵌合雄部である挿入部材は、嵌合雌部であるカシメ部材に設けられた挿入口から、所定の挿入方向に沿って、該カシメ部材の内側に設けられた収容部へと挿入される。ここで、該挿入部材には、その挿入方向における端部に、第１接触面が設けられており、また該収容部には、該第１接触面と対応する位置の内面に、第１被接触面が設けられている。そして、該挿入部材が該収容部に収容された状態となった場合、該第１被接触面に該第１接触面が接触することにより、該カシメ部材に対する該挿入部材の挿入方向への移動が規制される。
また一方、該収容部の内面には係止舌片が配設されており、該挿入部材には収容凹部が設けられており、該挿入部材が該収容部に収容された状態となった場合、該収容凹部には、該係止舌片の少なくとも一部が収容される。ここで、該挿入部材の収容凹部には、該挿入部材の抜出方向における内面に、第２接触面が設けられており、また該係止舌片上には、該第２接触面と対応する位置に、第２被接触面が設けられている。そして、該挿入部材が該収容部に収容された状態となった場合、該第２被接触面に該第２接触面が接触することにより、該カシメ部材に対する該挿入部材の抜出方向への移動が規制される。
上記のように、上記カシメ部材の収容部に上記挿入部材が収容された状態となった場合、該挿入部材は該カシメ部材に対し、挿入方向への移動と、抜出方向への移動と、の２方向の移動が規制されて、かしめられる。従って、カシメ部材に挿入部材を挿入するのみで、不正行為を十分に抑制することができるとともに、かしめに必要な操作はカシメ部材に挿入部材を挿入するのみであるため、封止作業の簡易化を図ることができる。さらに、基板ケースを開封する場合、上記挿入部材は、ケース蓋又は本体ケースに対して架橋部で繋がっており、該架橋部を切断等することによってケース蓋又は本体ケースから切離することができるため、挿入部材をカシメ部材から抜き出し等する必要がなく、開封作業の簡易化を図ることができる。
【０００８】
請求項２に記載の発明は、請求項１に記載の基板ケースの封止構造の発明において、上記挿入口への上記挿入部材の挿入方向と直交する方向において、上記挿入部材の外面には第３接触面が設けられており、該第３接触面と対応する位置で上記収容部の内面には第３被接触面が設けられており、該第３接触面が該第３被接触面に接触することによって、上記収容部に収容された状態における上記挿入部材の挿入方向と直交する方向への移動を規制することを要旨とする。
上記構成によれば、上記挿入部材には、上記挿入口への上記挿入部材の挿入方向と直交する方向の外面に、第３接触面が設けられており、また上記収容部の内面には、該第３接触面と対応する位置に、第３被接触面が設けられている。そして、該挿入部材が該収容部に収容された状態となった場合、該第３被接触面に該第３接触面が接触することにより、該カシメ部材に対する該挿入部材の挿入方向と直交する方向への移動が規制される。このため、上記カシメ部材の収容部に上記挿入部材が収容された状態となった場合、上記２方向と、さらに挿入方向と直交する方向との３方向の移動が規制されてかしめられるため、カシメ部材に挿入部材を挿入するのみで、不正行為を好適に抑制することができる。
【０００９】
請求項３に記載の発明は、請求項１又は請求項２に記載の基板ケースの封止構造の発明において、上記カシメ部材は、複数個が設けられており、上記挿入部材は、上記カシメ部材と対応する個数の複数個が設けられており、互いに対応する上記カシメ部材と上記挿入部材を１セットとして、上記基板ケースを封止した状態で、上記カシメ部材と上記挿入部材の複数セット全てが上記基板ケースの封止に一度に使用されておらず、少なくとも何れか１セットが上記基板ケースの封止に使用されていることを要旨とする。
上記構成によれば、上記カシメ部材と上記挿入部材を複数セット用意し、基板ケースの封止時には、複数セットの全てを一度に使用することなく、少なくとも何れか１セットを使用することとしている。つまり、該基板ケースの開封時には上記架橋部を切断等する必要があり、また切断等された該架橋部を接着する等して挿入部材等を再利用することは不正行為防止という観点からは認めることができない行為であるため、挿入部材等は使い捨てにする必要がある。そして、カシメ部材と挿入部材を複数セット用意し、その全てを一度に使用することなく一部セットを使用することで、ケース蓋又は本体ケースまでをも使い捨てにする必要がなく、挿入部材のみを使い捨てにすることができる。
【００１０】
請求項４に記載の発明は、請求項３に記載の基板ケースの封止構造の発明において、上記挿入部材は、上記係止舌片を上記第２被接触面と接触することなく収容自在なカシメ回避部を有しており、上記収容凹部に対して上記係止舌片が対応位置となるように上記挿入部材に対して上記カシメ部材が配置される場合をカシメ位置とし、上記カシメ回避部に対して上記係止舌片が対応位置となるように上記挿入部材に対して上記カシメ部材が配置される場合を未カシメ位置として、上記基板ケースを封止した状態で、上記カシメ部材と上記挿入部材のうち該封止に使用しているものについては、上記カシメ部材がカシメ位置とされ、該封止に使用されていないものについては、上記カシメ部材が未カシメ位置とされていることを要旨とする。
上記構成によれば、挿入部材には係止舌片の第２被接触面と接触することなく該係止舌片を収容自在なカシメ回避部が設けてあり、収容凹部と係止舌片とを対応位置としたカシメ位置ではカシメ部材に挿入部材がかしめられ、カシメ回避部と係止舌片とを対応位置とした未カシメ位置ではカシメ部材に挿入部材がかしめられなくなる。すなわち、通常であればカシメ部材と挿入部材とを未カシメとする場合、カシメ部材を本体ケース又はケース蓋から予め取り外しておく等する必要がある。これに対して上記構成であれば、カシメ部材を未カシメ位置としておくことで、該カシメ部材を本体ケース又はケース蓋に取り付けた状態としたまま、基板ケースの封止を行うことが出来る。なお、カシメに使用しないカシメ部材を本体ケース又はケース蓋から予め取り外しておく場合、狭小な遊戯機内に該カシメ部材を保管するスペースを設けなければならず、スペース効率が悪いという問題があり、また遊戯機内に保管しない場合にはカシメ部材を無くしたり、悪用されたり等するという問題があったが、カシメに使用しないカシメ部材も本体ケース又はケース蓋に取り付けたままとしておける上記構成により、これら問題をも解決することが出来る。
【００１１】
請求項５に記載の発明は、請求項１から請求項４のいずれか一項に記載の基板ケースの封止構造の発明において、上記本体ケース又は上記ケース蓋の側縁には、隣接する２面が外部に開放された箱状をなす外殻部材が設けられ、上記ケース蓋又は上記本体ケースの側縁には、該外殻部材の１面を閉塞する板状のカバー部材が設けられており、上記カシメ部材は、その挿入口が外部に開放されるようにして上記外殻部材に収納されており、上記挿入部材は、上記カバー部材と平行に延びるように突出形成されていることを要旨とする。
上記構成によれば、かしめられたカシメ部材及び挿入部材を外殻部材及びカバー部材によって外部から覆うことが出来、例えばカシメ部材あるいは挿入部材を破壊する等の不正行為を好適に抑制することができる。
【発明の効果】
【００１２】
本発明によれば、不正行為を十分に抑制することができるとともに、封止作業及び開封作業の簡易化を図ることができる基板ケースの封止構造を提供することができる。
【発明を実施するための最良の形態】
【００１３】
以下、本発明の基板ケースの封止構造を具体化した一実施形態を図面に基づいて説明する。
まず、遊技機の概略構成を説明する。なお、遊技機とは、パチンコ機、パチスロ機、スロット機等であり、遊技場において島設備と総称される玉供給装置、コイン供給装置等に組み込まれて設置されたものである。
図１は、遊技機の概略構成を示す正面図である。遊技機１０は、外枠１１と、該外枠１１の内側に組み付けられた中枠１２とを備えている。外枠１１は、前記島設備（図示略）に固定されている。中枠１２は、該外枠１１に対し、着脱可能かつ開閉可能に組み付けられている。
上記中枠１２の内側には、遊技盤１３が組み付けられている。また中枠１２には、遊技機の操作等に係る球皿１４、ハンドル１５が組み付けられている。該中枠１２は、第三者によって不用意に開閉されることがないようにするため、施錠装置１６によって外枠１１に対して施錠固定されている。
【００１４】
上記遊技盤１３は、遊技を行うための主要な部品である。また、流行に合わせる、新機種の導入を容易にする、遊技場内における機種移動を簡易に行う等のために遊技盤１３のみを交換可能とするべく、該遊技盤１３は、中枠１２に対して着脱することができるように構成されている。該遊技盤１３の前面には、盤面部品として、遊技状態を知らしめる、あるいは遊技を興味深いものにするための液晶パネル（図示略）、チューリップ（図示略）などが取り付けられている。該遊技盤１３の後面には、遊技状態を制御する制御ユニットとして基板ケース１７が取り付けられている。
【００１５】
図２に示すように、上記基板ケース１７は、本体ケース２１と、ケース蓋２２とからなる。本体ケース２１は、一面が開放された箱状に形成されており、その開放された一面が収容口２１ａとされている。そして、該本体ケース２１の内部には、該収容口２１ａから遊技機を制御するための制御基板が収容されている。また該本体ケース２１の側縁（図２中で上側縁）には、一対の外殻部材２３が設けられている。
ケース蓋２２は、板状に形成されており、上記本体ケース２１の収容口２１ａを閉塞するように配設されている。そして、該ケース蓋２２の側縁（図２中で上側縁）には、カバー部材２４が設けられている。
【００１６】
図３に示すように、上記外殻部材２３は、隣接する２面（図３中で上面及び左手前面）が外部に開放された箱状に形成されている。上記カバー部材２４は、該外殻部材２３の１面（図３中で上面）を閉塞するべく板状に形成されている。該カバー部材２４の下面で一側縁からは、ベース部材２５が延設されている。該ベース部材２５は、該外殻部材２３の１面（図３中で左手前面）を閉塞するべく板状に形成されている。また該ベース部材２５は、その一面から延出形成された一対の架橋部２６を介して上記ケース蓋２２の側縁に繋がっている（図２参照）。
上記外殻部材２３の内部には、カシメ部材２７が収納されるようになっている。上記ベース部材２５の一面からは、挿入突起２８が突出形成されている。そして、基板ケース１７を封止する際には、外殻部材２３に収納されたカシメ部材２７に対し、該挿入突起２８が該外殻部材２３の左手前面から差し込まれる。
なお、本実施形態の挿入部材は、上記のベース部材２５、架橋部２６及び挿入突起２８によって構成されており、該挿入突起２８は、上記カバー部材２４と平行に延びるように形成されている。
【００１７】
図４において、（ａ）は外殻部材２３の斜視図であり、（ｂ）は外殻部材２３の部分破断斜視図である。外殻部材２３は、底壁２３ａと、該底壁２３ａの対向する一対の側縁に立設された一対の側壁２３ｂと、これら一対の側壁２３ｂを繋ぐように該底壁２３ａの一側縁に立設されたカバー壁２３ｃとにより、上面及び左手前面が外部に開放された箱状に形成されている。上記カシメ部材２７は、該外殻部材２３の開放された上面から該外殻部材２３の内部に収納されるようになっている。
上記底壁２３ａにおいて、カバー壁２３ｃが立設された側縁と対向する側縁には、規制凸条３１が一対の側壁２３ｂを繋ぐように突設されている。上記側壁２３ｂの内面において、上縁部には、上記カバー部材２４を係止して支持するためのカバー用段差部３２が形成されている。また側壁２３ｂの内面の中央部には、ガイド溝３３が凹設されている。さらに該ガイド溝３３の中間部には、断面三角形状の係止突起３４が凸設されている。上記カバー壁２３ｃの内面中央には、矩形状の係合凸部３５が突設されている。またカバー壁２３ｃの上縁部中央には、係合スリット３６が透設されている。
上記規制凸条３１、ガイド溝３３、係止突起３４、及び係合凸部３５は、外殻部材２３の内部でカシメ部材２７が動かないようにするための移動規制手段を構成している。またカバー用段差部３２及び係合スリット３６は、外殻部材２３に対してカバー部材２４を位置決めするための位置決め手段を構成している。
【００１８】
図５において、（ａ）はカシメ部材２７の斜視図であり、（ｂ）はカシメ部材２７の部分破断斜視図であり、（ｃ）はカシメ部材２７の側断面図である。
カシメ部材２７は、四角筒状に形成されている。該カシメ部材２７の一端側の開口部は、上記挿入部材の挿入突起２８を挿入するための挿入口４１とされている。該挿入口４１から連なる該カシメ部材２７の内部は、該挿入突起２８を収容するための収容部４２とされている。そして、挿入突起２８は、該挿入口４１から図中に矢印で示す方向、つまりは挿入口４１から収容部４２の延びる方向を挿入方向として、カシメ部材２７に挿入される。
該カシメ部材２７において、収容部４２の内面上（図５中で内底面上）には、係止舌片４３が配設されている。該係止舌片４３は、カシメ部材２７に対する挿入突起２８の挿入方向（以下、単に「挿入方向」と記載する）において、その基端側でヒンジ４３ａを介して収容部４２の内面に繋がっている。また該ヒンジ４３ａの上記挿入口４１に露出する角部は面取りされており、挿入突起２８を挿入口４１に挿入しやすくなっている。該係止舌片４３の挿入方向における先端には、突部４３ｂが形成されている。該突部４３ｂは、挿入方向の基端側となる面が、先端側へ向かうに従い高くなる斜面とされ、挿入方向の先端側となる面が、挿入方向と直交する方向へ延びる平面とされている。
該カシメ部材２７の周壁において、上記係止舌片４３と対応する位置には、待避スリット４４が切欠き形成されている。挿入突起２８を挿入する際、係止舌片４３は、ヒンジ４３ａを中心に弾性変形し、該待避スリット４４内へ待避出来るように構成されている。該カシメ部材２７の側璧には、係止爪４５が形成されている。該係止爪４５は、一端部で側璧に繋がり、かつその周囲にスリットが設けられることにより、弾性変形して収容部４２内へ待避できるように構成されている。また該カシメ部材２７の他端側の開口部（挿入口４１と対向する側の端部であって、挿入方向の先端側となる端部）は、閉塞壁４６によって閉塞されている。該閉塞壁４６が挿入方向の基端寄りに配設されることにより、挿入方向の先端側となる該カシメ部材２７の端部には、係合凹所４７が設けられている。
上記係止爪４５及び係合凹所４７は、外殻部材２３の内部でカシメ部材２７が動かないようにするための移動規制手段を構成している。上記収容部４２の内面において、閉塞壁４６の内面は、第１被接触面５１となる。上記係止舌片４３において、挿入方向と直交する方向へ延びる平面となる先端面は、第２被接触面５２となる。上記収容部４２の内面において、待避スリット４４が形成された面と対向する面（図５中で内上面）は、第３被接触面５３となる。
【００１９】
図６において、（ａ）は挿入部材の斜視図であり、（ｂ）は挿入部材の部分破断斜視図であり、（ｃ）は挿入部材の側断面図である。
挿入部材において、挿入突起２８は、一対の長板６１と、これら長板６１の間を繋ぐ仕切璧６２とによって断面Ｈ状に形成されている。該挿入突起２８は、挿入方向の先端側となる長板６１の角部が面取りされており、挿入口４１へ挿入しやすくなっている。
一対の長板６１及び仕切璧６２によって囲まれる部分であって、カバー部材２４側の部分は、カシメ回避部６３とされている。該仕切璧６２を挟んで該カシメ回避部６３と反対側になる部分は、収容凹部６４とされている。該収容凹部６４において、挿入方向の先端側となる仕切璧６２の側縁には、係止爪６５が突設されている。該係止爪６５において、収容凹部６４内に露出している面（挿入方向の基端側となる面）は、該挿入方向と直交する方向へ延びる平面とされている。またカバー部材２４において、挿入方向の先端側となる面には、上記外殻部材２３の係合スリット３６に係入される係入突部６６が突出形成されている。
上記挿入部材において、挿入突起２８の挿入方向の先端面は、第１接触面７１となる。上記挿入部材において、係止爪６５の収容凹部６４内に露出している面は、第２接触面７２となる。上記挿入部材において、一対の長板６１の周面のうち上記カバー部材２４と対向する面（図６中で上面）は、第３接触面７３となる。
【００２０】
上記外殻部材２３への上記カシメ部材２７の取り付けについて説明する。
図２及び図３に示したように、本実施形態の基板ケース１７において、カシメ部材２７及び挿入部材を構成する挿入突起２８は、それぞれ２個ずつ設けられており、該基板ケース１７は、互いに対応するカシメ部材２７と挿入突起２８を１セットとして、合計で２セットを有している。該基板ケースを封止する際には、２セット全てをカシメに使用するのではなく、一度のカシメで１セットのみを使用することとし、残りの１セットは未カシメとする。
【００２１】
カシメに使用する１セットについては、カシメ部材２７をカシメ位置となるように配置し、外殻部材２３へ取り付ける（図３左奥を参照）。すなわち、カシメ位置とは、挿入突起２８の収容凹部６４に対し、カシメ部材２７の係止舌片４３が対応位置となる位置関係であり、カシメ部材２７は、係止舌片４３が設けられた部位から、外殻部材２３の内部へと挿入される。
図７（ａ）〜（ｃ）に示すように、カシメ位置とされたカシメ部材２７を外殻部材２３の内部へ収納した場合、カシメ部材２７は、外殻部材２３に対して、係合凹所４７が係合凸部３５に係合され、挿入口４１の周縁部が規制凸条３１に当接され、さらに外側面が両側壁２３ｂの内面に当接されることにより、外殻部材２３の内部で動くことを抑制される。さらに、カシメ部材２７は、係止爪４５が外殻部材２３のガイド溝３３内に設けられた係止突起３４に係止されることにより、外殻部材２３の内部から抜け出そうとする動きを規制される。従って、カシメ部材２７をカシメ位置として外殻部材２３の内部へ収納することにより、カシメ部材２７が該外殻部材２３の内部から抜け出すことを抑制することができる。
なお、カシメ部材２７を外殻部材２３の内部へ挿入する際、係合凸部３５の外面に係合凹所４７の内面が摺接され、かつガイド溝３３の内面に係止爪４５の外面が摺接されることにより、カシメ部材２７は、外殻部材２３に対して取り付けの向きと取り付け方向とをガイドされるようになっており、取り付けの簡易化と、取り付けミスの防止が図られている。
【００２２】
未カシメとする１セットについては、カシメ部材２７を未カシメ位置となるように配置し、外殻部材２３へ取り付ける（図３右前を参照）。すなわち、未カシメ位置とは、挿入突起２８の収容凹部６４に対し、カシメ部材２７の未カシメ部５３ｂが対応位置となる位置関係であり、カシメ部材２７は、未カシメ部５３ｂが設けられた部位から、外殻部材２３の内部へと挿入される。
図７（ｄ）〜（ｆ）に示すように、未カシメ位置とされたカシメ部材２７を外殻部材２３の内部へ収納した場合、カシメ部材２７は、外殻部材２３に対して、係合凹所４７が係合凸部３５に係合され、挿入口４１の周縁部が規制凸条３１に当接され、さらに外側面が両側壁２３ｂの内面に当接されることにより、外殻部材２３の内部で動くことを抑制される。但し、カシメ部材２７は、係止爪４５が外殻部材２３のガイド溝３３内に設けられた係止突起３４に係止されておらず、外殻部材２３の内部からの抜け出しは許容される。従って、カシメ部材２７を未カシメ位置として外殻部材２３の内部へ収納することにより、カシメ部材２７が該外殻部材２３の内部から抜け出すことを許容することができる。
上記のように未カシメ位置とされたカシメ部材２７を外殻部材２３の内部に収納しつつ抜け出し可能な構成とした場合、カシメに使用しないカシメ部材２７を保管するべくそれ専用のスペースを設ける必要がないため、スペース効率に優れるという利点がある。すなわち、未カシメとする１セットについては、外殻部材２３の内部をカシメ部材２７の保管スペースとして利用することで、狭小となりがちな遊戯機内のスペース効率を向上させている。また未カシメとするものではあるが、該外殻部材２３は、カバー部材２４により、カシメ部材２７を挿入するための開口部が閉塞されるため、カシメ部材２７を無くしたり、さらには保管状態にあるカシメ部材２７を悪用されたり等するという問題をも防止可能となる。
【００２３】
上記ケース蓋２２による上記本体ケース２１の閉塞について説明する。
ケース蓋２２による本体ケース２１の閉塞は、該本体ケース２１の収容口２１ａにケース蓋２２を被せ、このままケース蓋２２を本体ケース２１に対し、挿入部材の挿入突起２８がカシメ部材２７に挿入されるようにスライド移動させることによって行われる。上記したように、２セットある挿入突起２８及びカシメ部材２７のうち１セットはカシメ部材２７がカシメ位置とされるため、ケース蓋２２によって本体ケース２１を閉塞するのみで基板ケース１７が封止される。
【００２４】
すなわち、図８（ａ），（ｂ）に示すように、挿入突起２８は、カシメ位置とされたカシメ部材２７の挿入口４１から収容部４２へ挿入され、このまま挿入方向へ向かって進行する。やがて図８（ｃ）に示すように、挿入突起２８の先端が係止舌片４３の突部４３ｂに当接されるが、該挿入突起２８を挿入方向へ進行させると、図８（ｄ）に示すように、係止舌片４３はその弾性力に抗してヒンジ４３ａを中心に曲がり、待避スリット４４内に待避される。さらに挿入突起２８を挿入方向へ進行させると、図９（ａ），（ｂ）に示すように、該挿入突起２８は、その第１接触面７１を収容部４２内の第１被接触面５１に接触させることにより、挿入方向への移動を規制される。
また、待避スリット４４内に待避された係止舌片４３は、挿入突起２８の先端が突部４３ｂを乗り越えたことで弾性力によって元の形状に復元し、その一部である突部４３ｂを挿入突起２８の収容凹部６４内に収容させる。このとき、収容凹部６４内に設けられた第２接触面７２は、係止舌片４３の先端に設けられた第２被接触面５２と接触するため、第２接触面７２及び第２被接触面５２の接触により、挿入方向と反対側の方向となる抜出方向への該挿入突起２８の移動が規制される。
さらに、挿入突起２８は、カシメ部材２７への挿入において、その第３接触面７３を収容部４２内の第３被接触面５３に摺接させており、挿入突起２８が収容部４２内に収容された状態となっても第３接触面７３と第３被接触面５３の接触は維持されているため、挿入方向と直交する方向への該挿入突起２８の移動が規制される。
【００２５】
上記のように挿入突起２８は、カシメ部材２７への挿入方向、抜出方向及び挿入方向と直交する方向の３方向への移動を規制されることにより、収容部４２内からの抜け出しを規制され、カシメ部材２７にかしめられて基板ケース１７を封止する。また挿入突起２８及びカシメ部材２７は、外殻部材２３の各璧、カバー部材２４、及びベース部材２５によって外部から覆われており、さらにカバー部材２４は、その係入突起６６が係止スリット３６へ係入されることによって外殻部材２３と係合されるため、挿入突起２８及びカシメ部材２７を外部から操作して挿入突起２８をカシメ部材２７から抜き出すことは不可能となる。従って、封止された基板ケース１７の開封は、架橋部２６を切断し、挿入突起２８等をケース蓋２２から切り離すことによってのみ可能となる。
【００２６】
一方、図１０（ａ）〜（ｃ）に示すように、カシメ部材２７が未カシメ位置とされた１セットについては、挿入突起２８は、そのカシメ回避部６３内にカシメ部材２７の係止舌片４３が収容される。該カシメ回避部６３については、その内面に何等凹凸が設けられておらず、従って第２被接触面５２への接触がないため、抜出方向への移動が許容される。従って、基板ケース１７を開封する際、挿入突起２８をカシメ部材２７から簡単に引き抜くことができる。
【００２７】
なお、本発明は上記実施形態の構成に限定されるものではなく、例えば上記実施形態を次のように変更してもよい。
外殻部材２３及びカバー部材２４のうち少なくとも何れか一方を省略してもよい。
図１１に示すように、挿入突起２８は、カシメ回避部６３を省略した構成としてもよい。すなわち、挿入突起２８を断面凹字状に形成し、カシメ回避部６３を設けることなく収容凹部６４のみを設けた構成としてもよい。
上記実施形態ではカシメ部材２７及び挿入突起２８のセットを合計で２セット設けたが、３セット以上設けてもよい。あるいは１セットのみとしてもよい。
上記実施形態では、挿入突起２８の第３接触面７３とカシメ部材２７の第３被接触面５３とを接触させる構成としたが、これらを非接触の構成としてもよい。
上記実施形態では、本体ケース２１にカシメ部材２７を、ケース蓋２２に挿入突起２８を設ける構成としたが、ケース蓋２２にカシメ部材２７を設け、本体ケース２１に挿入突起２８を設ける構成としてもよい。
【図面の簡単な説明】
【００２８】
【図１】遊技機を示す概略図。
【図２】基板ケースを示す平面図。
【図３】実施形態の封止構造を示す分解斜視図。
【図４】（ａ），（ｂ）は外殻部材を示す斜視図、側部破断斜視図。
【図５】（ａ）〜（ｃ）はカシメ部材を示す斜視図、上部破断斜視図、側断面図。
【図６】（ａ）〜（ｃ）は挿入部材を示す斜視図、部分透過斜視図、側断面図。
【図７】（ａ）〜（ｃ）はカシメ部材をカシメ位置とした側部破断斜視図、側断面図、及び正断面図であり、（ｄ）〜（ｆ）はカシメ部材を未カシメ位置とした側部破断斜視図、側断面図、及び正断面図。
【図８】（ａ）〜（ｄ）はカシメ位置としたカシメ部材に挿入部材を挿入する状態を示す部分透過斜視図、上部破断斜視図、側断面図、及び側断面図。
【図９】（ａ），（ｂ）はカシメ位置としたカシメ部材に挿入部材を挿入した状態を示す側断面図、及び上部破断斜視図。
【図１０】（ａ），（ｂ）は未カシメ位置としたカシメ部材に挿入部材を挿入する状態を示す側断面図であり、（ｃ）は未カシメ位置としたカシメ部材に挿入部材を挿入した状態を示す底部破断斜視図。
【図１１】（ａ），（ｂ）は別形態の挿入部材を示す斜視図、及び上部破断斜視図。
【符号の説明】
【００２９】
１０    遊技機
１７    基板ケース
２１    本体ケース
２２    ケース蓋
２３    外殻部材
２４    カバー部材
２６    架橋部
２７    カシメ部材
２８    挿入部材を構成する挿入突起
４１    挿入口
４２    収容部
４３    係止舌片
５１    第１被接触面
５２    第２被接触面
５３    第３被接触面
６３    カシメ回避部
６４    収容凹部
７１    第１接触面
７２    第２接触面
７３    第３接触面
【図１】
2010029307.tif 000003
【図２】
2010029307.tif 000004
【図３】
2010029307.tif 000005
【図４】
2010029307.tif 000006
【図５】
2010029307.tif 000007
【図６】
2010029307.tif 000008
【図７】
2010029307.tif 000009
【図８】
2010029307.tif 000010
【図９】
2010029307.tif 000011
【図１０】
2010029307.tif 000012
【図１１】
2010029307.tif 000013